(57)【要約】      （修正有）【課題】低コストで小型化が可能な三相グリッドと連繋するリレー装置を有する電力発生システムを提供する。【解決手段】手段発生装置から三相グリッドへ３つのＡＣ端子を介して電力を供給するための電力発生システムを開示する。このシステムは、少なくとも３つのリレーを有し、グリッドからシステムを切断するためのリレー装置を備えている。３つのリレーの各々は、制御コイル及び対応する制御コイルにより作動される２つの開閉接点を備えている。各ＡＣ端子は、第１の開閉接点及び第２の開閉接点を介してグリッドへ接続され、第１の開閉接点及び第２の開閉接点は、リレーのうちの異なる１つに割り当てられる。さらに、リレー装置及び当該リレー装置を有するインバータを開示する。【選択図】図２
2010213565.tif 000002
【特許請求の範囲】
【請求項１】
３つのＡＣ端子を介して三相グリッドへ発生装置から電力を供給するための電力発生システムにであって、前記グリッドから前記システムを切断するためのリレー装置を備え、
前記リレー装置は、少なくとも３つのリレーを備え、前記３つのリレーの各々は、制御コイルと、対応する制御コイルにより作動される２つの開閉接点と、を備え、各ＡＣ端子は、第１の開閉接点及び第２の開閉接点を介して前記グリッドへ接続され、前記第１の開閉接点及び第２の開閉接点は、前記リレーのうちの異なる１つに割り当てられる、
電力発生システム。
【請求項２】
インバータを備える、請求項１に記載のシステム。
【請求項３】
光起電インバータを備える、請求項１に記載のシステム。
【請求項４】
前記発生装置が光起電発生器を備える、請求項３に記載のシステム。
【請求項５】
前記システムが無変換器型インバータを備える、請求項１に記載のシステム。
【請求項６】
前記リレーの各々がリレードライバにより個別に作動される、請求項１に記載のシステム。
【請求項７】
各リレードライバが、制御装置のセット信号及び監視装置の中断信号の存在時にのみ対応するリレーを作動させるように構成される、請求項６に記載のシステム。
【請求項８】
前記制御装置が、前記監視装置により常時監視される、請求項７に記載のシステム。
【請求項９】
各リレードライバが、前記制御装置のテスト信号により監視されるように構成される、請求項７に記載のシステム。
【請求項１０】
前記制御信号は、前記テスト信号の存在時に中断され、前記中断の持続時間は、スイッチの開くのを阻止するに十分に短く選択されており、前記テスト信号に対する前記制御コイルの応答は、前記制御装置により評価される、請求項９に記載のシステム。
【請求項１１】
前記リレー装置が、前記グリッドへの前記システムの意図しない接続を阻止するための自己作動スイッチを備える、請求項１に記載のシステム。
【請求項１２】
前記リレー装置が、前記システムのハウジングへ一体化される、請求項１に記載のシステム。
【請求項１３】
前記リレーが、回路板上に配置される、請求項１に記載のシステム。
【請求項１４】
ＤＣ電力を３つのＡＣ端子を介して三相グリッドへ与えられるＡＣ電力へと変換するためのインバータであって、該インバータを前記グリッドから切断するためのリレー装置を備え、
前記リレー装置は、少なくとも３つのリレーを備え、前記３つのリレーの各々は、制御コイル及び対応する制御コイルによって作動される２つの開閉接点を備え、各ＡＣ端子は、第１の開閉接点及び第２の開閉接点を介して前記グリッドへ接続され、前記第１の開閉接点及び第２の開閉接点は、前記リレーのうちの異なる１つに割り当てられる、
インバータ。
【請求項１５】
光起電インバータである、請求項１４に記載のインバータ。
【請求項１６】
前記リレー装置が、前記インバータのハウジングへ一体化される、請求項１４に記載のインバータ。
【請求項１７】
３つの活性導体を有する三相グリッドからインバータを切断するためのリレー装置であって、少なくとも３つのリレーを備え、
前記３つのリレーの各々は、制御コイル及び対応する制御コイルによって作動される２つの開閉接点を備え、各開閉接点は、前記リレーのうちの異なる１つに割り当てられた別の開閉接点に接続される、
リレー装置。
【請求項１８】
前記リレー装置が、前記グリッドへの前記システムの意図しない接続を阻止するための自己作動スイッチを備える、請求項１７に記載のリレー装置。
【請求項１９】
前記リレーの各々が、リレードライバにより個別に作動される、請求項１７に記載のリレー装置。
【請求項２０】
各リレードライバが、制御装置へのセット信号及び監視装置の中断信号の存在時にのみ前記対応するリレーを作動するように構成される、請求項１９に記載のリレー装置。
【請求項２１】
前記制御装置が、前記監視装置により常時監視される、請求項２０に記載のリレー装置。
【請求項２２】
各リレードライバが、前記制御装置のテスト信号により監視されるように構成される、請求項２０に記載のリレー装置。
【請求項２３】
前記制御信号が、前記テスト信号の存在時に中断され、前記中断の持続時間は、前記スイッチの開くのを阻止するに十分に短く選択され、前記テスト信号に対する前記制御コイルの応答は、前記制御装置により評価される、請求項２２に記載のリレー装置。
【請求項２４】
ＤＣ電圧を三相ネットワーク周波数のＡＣ電圧へ変換するためのインバータ回路であって、ＤＣ／ＡＣ変換器と電力供給ネットワーク（ＮＥ）との間に配置され且つ活性導体（Ｌ１、Ｌ２、Ｌ３）に対する電気切断のためのスイッチポイント（４）として実施されるリレー回路を有するインバータ回路において、
前記リレー回路は、３つの二極リレー（Ｒ１、Ｒ２、Ｒ３）を備え、各リレー（Ｒ１、Ｒ２、Ｒ３）は、１つの制御コイル（Ｓｐ１、Ｓｐ２、Ｓｐ３）及び各々が１つの制御コイル（Ｓｐ１、Ｓｐ２、Ｓｐ３）に関連付けられた２つの開閉接点（Ｋ１ａ、Ｋ１ｂ；Ｋ２ａ、Ｋ２ｂ；Ｋ３ａ、Ｋ３ｂ）を備え、
各場合において、１つのリレー（Ｒ１）の１つの開閉接点（Ｋ１ａ）のみが他の２つのリレーの１つ（Ｒ２）の１つの開閉接点（Ｋ２ｂ）に直列に接続され、独立して作動される２つの開閉接点（Ｋ１ａ、Ｋ２ｂ）が、活性導体（Ｌ１、Ｌ２、Ｌ３）に対して常時与えられる、
ことを特徴とするインバータ回路。
【請求項２５】
前記リレー回路が、部分的又は別のネットワークへの意図しない給電を阻止するための自動スイッチポイント（４）として実施されることを特徴とする、請求項２４に記載のインバータ回路。
【請求項２６】
前記リレー回路が、インバータハウジングへ一体化されていることを特徴とする、請求項２４又は２５に記載のインバータ回路。
【請求項２７】
各リレー（Ｒ１、Ｒ２、Ｒ３）は、回路板上のコンバーチブル型のリレーとして実施されていることを特徴とする、請求項２４〜２６のいずれか１項に記載のインバータ回路。
【請求項２８】
トランスレス型であることを特徴とする、請求項２４〜２７のいずれか１項に記載のインバータ回路。
【請求項２９】
各リレーコイル（Ｓｐ１、Ｓｐ２、Ｓｐ３）が、制御装置（ＢＦＳ）により作動／制御回路（ＲＴ）を通して個別に作動されることを特徴とする、請求項２４〜２８のいずれか１項に記載のインバータ回路。
【請求項３０】
各リレーコイル（Ｓｐ１、Ｓｐ２、Ｓｐ３）のための前記作動回路（ＲＴ）が、ＡＮＤゲートを備え、該ＡＮＤゲートにおいて、１つのゲート入力が前記作動回路（ＲＴ）に接続され、別のゲート入力が監視モジュール（Ｗ）に接続されており、前記制御装置（ＢＦＳ）のセット信号（ＳＥＴ  Ｋ１、ＳＥＴ  Ｋ２、ＳＥＴ  Ｋ３）及び前記監視モジュールの中断信号（ＳＡＦＥ  ＢＲＥＡＫ）の双方が同時に与えられる場合にのみ、各リレーコイル（Ｓｐ１、Ｓｐ２、Ｓｐ３）が作動されることを特徴とする、請求項２９に記載のインバータ回路。
【請求項３１】
前記制御装置（ＢＦＳ）が、前記監視モジュール（Ｗ）により常時監視されることを特徴とする、請求項３０に記載のインバータ回路。
【請求項３２】
各作動回路（ＲＴ）が、前記制御装置（ＢＦＳ）のテスト信号（ＲＴＳ）により作動されることを特徴とする、請求項３０又は３１に記載のインバータ回路。
【請求項３３】
前記作動回路（ＲＴ）に与えられるリレー制御信号が、接点の切断が起こらないような短い時間の間、前記テスト信号（ＲＴＳ）により中断され、前記制御コイル（Ｓｐ１、Ｓｐ２、Ｓｐ３）での前記テスト信号（ＲＴＳ）に対する反応が前記制御装置（ＢＦＳ）により分析されることを特徴とする、請求項３２に記載のインバータ回路。
【請求項３４】
光起電インバータ（１）として実施される、請求項２４〜３３のいずれか１項に記載のインバータ回路。
【発明の詳細な説明】
【関連出願への相互参照】
【０００１】
[0001]本願は、２００９年３月９日に出願された欧州特許出願ＥＰ０９００３３５３．１の優先権を主張しており、この欧州特許出願の開示内容を、その全体を参照することにより、本明細書に援用する。
【技術分野】
【０００２】
[0002]本発明は、電力発生システムに関するものであり、当該システムを三相グリッドから切断するためのリレー装置を有する電力発生システムに関するものである。また、本発明は、電力を三相グリッドへ与えるためのインバータ及び対応するリレー装置に関するものである。
【背景技術】
【０００３】
[0003]電力発生システムは、電力をグリッドへ与えるのに使用される。これら電力発生システムの重要性は、大電力プラントを運転するための天然資源が制限され、より高価なものとなるにつれて、増してくる。このようなシステムの１つの例は、インバータであり、直流を交流へと変換するのに使用され、典型的には、ＤＣ−ＡＣコンバータとして機能する半導体ブリッジ回路を備える。
【０００４】
[0004]直流電流は、例えば、電池のような任意のＤＣ源から生じ得る。ＤＣ源は、エネルギーをグリッドへと供給するのに使用される光起電発生器であることもある。
【０００５】
[0005]比較的に小さな表面上への設置を目的とした光起電インバータは、設置中における工具の必要性を最少とするため、できるだけコンパクトで、取扱いが容易で且つ軽量であるべきである。このようなインバータの重量及び寸法は、１人か２人の人が主として自力でそれら搬送し、設置することができるようなものでなければならない。
【０００６】
[0006]必要な電子構成部品、半導体、フィルタチョーク、キャパシタ及び同様の素子は、ハウジング内に収容される。装置の許容出力電力を増大すると、それら個々の構成部品分の寸法が増大してしまう結果となる。従って、装置又はそのハウジングは、コンパクトとすべき場合には、できるだけ密集させて実装しなければならない。
【０００７】
[0007]グリッド並列給電のための承認を受けるためには、その適用し得る標準及び規則（例えば、ＤＩＮ  Ｖ  ＶＤＥ  Ｖ０１２６−１−１）によって、電力発生システムは、自動スイッチング回路を介してグリッドに接続されることが必要となる。この装置の主たる目的は、しばしば単独運転防止と称されるようなサブグリッド又は独立グリッドへの意図しない給電を防止し、従って、保護機能を果たすことである。
【０００８】
[0008]付加的なハウジング又は付加的な設置補助器具の必要性を排除するために、スイッチング回路は、既存のインバータハウジングへと一体化され得る。しかしながら、そうすると、ハウジングのサイズが増大してしまう。
【０００９】
[0009]前述した標準によれば、このスイッチング回路は、２つの直列に接続され且つ個々に作動されるスイッチを介して各活性導体に対する進行中の給電を中断させることができるものであることも必要とされている。このような切断は、単一のエラーの場合においても安全機能を保証するような方法でされねばならない。
【００１０】
[0010]このような仕様を満足するための通常の実施は、１０ｋＷ以上までの中間電力範囲に対して十分なスイッチング容量を有する単極リレーを使用することである。このリレーは、通常、独立のコントローラ及び対応する監視装置を備える。
【発明の概要】
【００１１】
[0011]三極リレー又は接触器は、より高い電力範囲に対してしか使用できず、ＰＣＢリレーより相当に大きな設置スペースを必要とする。その上、これらの組立は、労力を必要とするものであり、エラーを生じ易いものであり、又、大バッチ生産には適したものではない。従って、標準準拠の解決法では、６つの単極リレーを使用することが必要となり、これでは、コストが掛かるばかりでなく、設置スペースも必要となってしまう。 
【００１２】
[0012]発生装置から三相グリッドへ３つのＡＣ端子を介して電力を供給するための電力発生システムを提供する。このシステムは、グリッドからインバータを切断するためのリレー装置を備えており、当該リレー装置は、少なくとも３つのリレーを備え、当該３つのリレーの各々には、制御コイル及び当該制御コイルにより作動される２つの開閉接点が設けられている。当該システムの各ＡＣ端子は、第１の開閉接点及び第２の開閉接点を介してグリッドへ接続される。第１の開閉接点及び第２の開閉接点は、リレーのうちの異なる１つに割り当てられる。
【００１３】
[0013]本システムは、光起電インバータ、特に、トランスレス型の光起電インバータのようなインバータであってもよい。リレー装置は、システムのハウジングへ一体化されていてもよく、システムの回路板上に配置され、従って、コンパクトシステム設計とすることができる。
【００１４】
[0014]本発明の別の態様では、ＤＣ電力を３つのＡＣ端子を介して三相グリッドへ与えられるＡＣ電力へと変換するためのインバータを提供する。このインバータは、当該インバータをグリッドから切断するためのリレー装置を備えており、当該リレー装置は、少なくとも３つのリレーを備える。３つのリレーの各々は、制御コイル及び対応する制御コイルによって作動される２つの開閉接点を備える。各ＡＣ端子は、第１の開閉接点及び第２の開閉接点を介してグリッドへ接続される。第１の開閉接点及び第２の開閉接点は、リレーのうちの異なる１つに割り当てられている。
【００１５】
[0015]更に別の態様では、３つの活性導体を有する三相グリッドからインバータを切断するためのリレー装置を提供する。このリレー装置は、少なくとも３つのリレーを備え、３つのリレーの各々は、制御コイル及び対応する制御コイルによって作動される２つの開閉接点を備える。各開閉接点は、リレーのうちの異なる１つに割り当てられた別の開閉接点に接続される。
【００１６】
[0016]添付の図面は、本発明のより詳細な説明を与えるものであり、特定の実施形態を例示しようとするものである。これらは、本発明の範囲を限定しようとしているものではない。
【図面の簡単な説明】
【００１７】
【図１】電力発生システムの概略図である。
【図２】インバータをグリッドから切断するためのリレー装置を有するインバータを示す図である。
【図３】三相グリッドリレー装置のための安全概念を示す図である。
【詳細な説明】
【００１８】
[0020]図１は、電力発生システムを概略的に示示している。この電力発生システムは、発生装置１０を備えており、この発生装置１０は、電気エネルギーを発生して、そのエネルギーを変換装置１１へと与える。発生装置１０は、光起電発生器、燃料電池、風力発電機又は当業分野において知られた任意の他の発電システムであってもよい。変換装置１１は、エネルギーを発生装置１０から受け取り、当該エネルギーを、グリッド１４へ供給することのできるような形態へと変換する。グリッド１４が図示したような三相ＡＣグリッドである場合には、変換装置は、３つのＡＣ端子１２ａ、１２ｂ、１２ｃを備える。電力発生システムに適用し得るある標準によれば、システムは、グリッド又は当該システムが故障する場合には、例えば、単独運転状態においては、グリッドから自動的に切断されることが必要とされるので、リレー装置１３を使用して、ＡＣ端子１２ａ、１２ｂ、１２ｃをグリッド１４へ接続する。このリレー装置の更なる詳細については、変換装置１１を構成するインバータに関して図２及び図３に例示する。リレー装置１３は、自動接続及び切断の観点から前述した機能を提供し、公衆グリッドへ電力を供給するための標準を満足する。以下の説明では、リレー装置を介してグリッドへ接続されるインバータを、電力発生システムの構成要素の例として使用する。しかしながら、以下に説明する詳細は、一般的には電力発生システムにおいて、それに従って使用することができる。
【００１９】
[0021]図２は、インバータ１を示しており、当該インバータ１は、発生器端子ＰＶ＋、ＰＶ−の間に与えられるＤＣ電圧、例えば、光起電発生器によって与えられるＤＣ電圧をグリッド周波数を有する三相ＡＣ電圧へと変換するための変換回路を有する電力発生システムの一部を構成し得る。このインバータ１は、６つの半導体スイッチ及び並列の環流ダイオードを有するフルブリッジ回路２を備えており、これら半導体スイッチ及び環流ダイオードは、ＤＣ／ＡＣコンバータを構成する。発生器端子ＰＶ＋及びＰＶ−とフルブリッジ回路２との間には、緩衝キャパシタＣ１及びオプションの昇圧コンバータ３が存在しており、当該昇圧コンバータ３は、チョークＬＨ、スイッチＴＨ及びダイオードＤＨを備えている。この場合には、２つのＤＣリンクキャパシタＣ２、Ｃ３が、昇圧コンバータ３とフルブリッジ回路２との間に直列に設けられている。キャパシタＣ２及びＣ３は、同一の容量であってもよい。キャパシタＣ２及びＣ３の接続点は、電圧ＶＲ１、ＶＲ２、ＶＲ３のための電圧タップを構成する。これら電圧ＶＲ１、ＶＲ２、ＶＲ３は、フルブリッジ回路２と活性導体Ｌ１、Ｌ２、Ｌ３により表されたグリッドＮＥとの間に配置されるリレー装置４の機能を監視するために測定される。この場合には、この接続点を使用して、基準電圧点を画定する。リレー装置４とフルブリッジ回路２との間には、３つのフィルタチョークＬＮを備えるフィルタが存在し得る。リレー装置４は、所定の条件の下で、グリッドＮＥの活性導体Ｌ１、Ｌ２、Ｌ３から光起電インバータ１を切断するよう機能する。グリッドＮＥには、中性導体Ｎが設けられており、活性導体Ｌ１、Ｌ２、Ｌ３の導体電圧ＶＬ１、ＶＬ２、ＶＬ３が、リレー装置４の機能監視の付加的手段として、中性導体Ｎに対して測定される。
【００２０】
[0022]図２から分かるように、各活性導体Ｌ１、Ｌ２、Ｌ３は、１対の開閉接点を介してＡＣ端子の１つへと配線（ルーティング）される（例えば、Ｌ１は、Ｋ１ａ及びＫ３ｂを通して配線され）、各対の接点は、２つの異なるリレーＲ１、Ｒ２、Ｒ３に割り当てられている。
【００２１】
[0023]活性導体Ｌ１、Ｌ２、Ｌ３の交互配線スキームをもつ特定のリレー装置を、図３に示す。この実施形態におけるリレー装置４は、３つの二極リレーＲ１、Ｒ２、Ｒ３を備えている。各リレーＲ１、Ｒ２、Ｒ３は、対応する制御コイルＳｐ１、Ｓｐ２、Ｓｐ３を有しており、開閉接点のうちの２つ、Ｋ１ａ、Ｋ１ｂ；Ｋ２ａ、Ｋ２ｂ；Ｋ３ａ、Ｋ３ｂは、それぞれ、各制御コイルＳｐ１、Ｓｐ２、Ｓｐ３及びリレーＲ１、Ｒ２、Ｒ３に割り当てられる。リレーＲ１、Ｒ２、Ｒ３は、常時開のＮＯ開閉接点を備えことが好ましい。
【００２２】
[0024]リレーＲ１、Ｒ２、Ｒ３は、インバータのハウジング（図示せず）へ一体化することができる。この場合、これらリレーは、インバータの回路板上に、例えば、ＰＣＢリレーとして配置することができ、こうすることにより、安価で軽量で且つコンパクトなインバータ設計とすることができ、例えば、６つの単極リレーを使用するのに比べて、スペースを節約することができるようになる。これらリレーは、インバータの寸法の最小限の変更でもって、又はインバータの寸法を全く変更せずに、ハウジングへ一体化することさえできる。その場合に限らないのであるが、特に、無変換器型インバータの場合においては、インバータハウジングを、非常にコンパクトな寸法とすることができ、従って、建物内へのインバータの一体化を、融通性をもって行うことが可能となる。
【００２３】
[0025]対応するリレーの１つの接点は、他の２つのリレーのうちの１つのリレー接点に直列に接続される。例えば、図３に示すように、リレーＲ１の開閉接点Ｋ１ａは、リレーＲ２の開閉接点Ｋ２ｂに接続され、活性導体Ｌ１が、２つの別々のリレーＲ１、Ｒ２の２つの開閉接点Ｋ１ａ及びＫ２ｂを介して光起電インバータ１の端子Ｌ１＿ＷＲに接続されるようになっている。図示するように、他のインバータ端子もまた、異なるリレーの２つの開閉接点を通して配線され、リレーの巡回置換により、対応する２つの開閉接点が作動させられることになる。その結果、２つの独立して作動される開閉接点が、各活性導体Ｌ１、Ｌ２及びＬ３に対して常に存在することになる。
【００２４】
[0026]全てのリレーコイルＳＰ１−ＳＰ３が作動されており、例えば、第１のリレーＲ１の第１の接点Ｋ１ａが密着させられている場合には、依然としてガルバニック絶縁が存在する。何故ならば、接点Ｋ２ｂがその直列接続の結果として絶縁を生じさせるからである。接点Ｋ１ａが接点Ｋ１ａの密着接続のために開かれないとしても、開いた接点Ｋ２ｂにより、必要な絶縁が可能となる。
【００２５】
[0027]光起電インバータ１の対応する端子Ｌ１＿ＷＲ、Ｌ２＿ＷＲ、Ｌ３＿ＷＲに活性導体Ｌ１、Ｌ２、Ｌ３を配線する他の方法も可能である。しかしながら、同じリレーの２つの開閉接点を通しての配線は好ましくない。何故ならば、このような構成では、標準に従えないからである。結果として、各インバータ端子は、リレーＲ１、Ｒ２、Ｒ３のうちのどの単一リレーが故障するとしても、対応する活性導体から切断され得る。リレーＲ１、Ｒ２、Ｒ３のうちの任意の２つのものが故障するというまれにしか起こらない場合においてでも、その対応する活性導体に接続されたままのインバータ端子は１つのみであり、他の２つの端子は切断されている。
【００２６】
[0028]図３に示すように、リレーコイルＳｐ１−Ｓｐ３は、リレードライバＲＴを介して対応するＡＮＤゲートＧ１、Ｇ２、Ｇ３の出力に接続されている。ＡＮＤゲートＧ１、Ｇ２、Ｇ３の入力のうちの１つは、セット信号Ｓ１、Ｓ２、Ｓ３を搬送するケーブルを介してリレーＲ１、Ｒ２、Ｒ３のための制御装置ＢＦＳに接続されている。ＡＮＤゲートＧ１、Ｇ２、Ｇ３の他方の入力は、監視構成（ウオッチドッグコンフィギュレーション）Ｗからの安全信号ＳＢを介して作動される。監視構成Ｗは、ケーブル５を介して制御装置ＢＦＳへ接続されており、このケーブル５は、両装置の間にテスト信号を送ることができるものである。リレードライバは、ケーブル６を介して制御装置ＢＦＳにも接続されており、ケーブル６は、リレーテスト信号ＲＴＳを送ることができるものである。
【００２７】
[0029]リレードライバＲＴにおいて、制御コイルＳＰ１、ＳＰ２、ＳＰ３に対するリレー制御信号は、如何なる接点の分離も阻止するため、短時間の間のみＲＴＳテスト信号により中断される。この時間中に、このテスト信号ＲＴＳに対する制御コイルＳＰ１、ＳＰ２、ＳＰ３の応答が、制御装置ＢＦＳによって評価される。これにより、インバータ及びフルブリッジ回路２をグリッドＮＥから切断する必要なしに、リレードライバＲＴ及び制御コイルＳＰ１、ＳＰ２、ＳＰ３をチェックすることが可能とされる。
【００２８】
[0030]電圧ＶＲ１−ＶＲ３及びＶＬ１−ＶＬ３の測定値は、リレー装置４の機能を付加的にチェックするのに使用される。
【００２９】
[0031]リレー装置４のための可能な監視スキームとしては、次のようなテストがある。制御装置ＢＦＳが故障する場合には、監視構成ＷがリレーＲ１−Ｒ３が閉じるのを抑制する。もし、監視構成Ｗが故障する場合には、制御装置ＢＦＳがリレーＲ１−Ｒ３が閉じるのを抑制する。ＡＮＤゲートＧ１、Ｇ２、Ｇ３のうちの１つが故障する場合には、制御装置ＢＦＳがリレーＲ１、Ｒ２、Ｒ３のリレーテスト信号ＲＴＳを介してこの故障を検出する。これは、１つ以上のリレードライバＲＴが故障するときにもあてはまる。
【００３０】
[0032]このような選択される配線のため、単一エラーの場合でも、全てのグリッド相が、信頼性をもって、インバータから切断される。
【００３１】
[0033]本発明は、本明細書に説明した例に限定されるものではない。例えば、フルブリッジの代わりに、ハーフブリッジを使用することができ、また、異なるキャパシタ−フィルタ装置Ｃ１−Ｃ３、ＬＮを選択することができる。また、インバータは、昇圧コンバータを全く備えなくてもよい。
【００３２】
[0034]或いは、リレー装置４は、インバータハウジングに一体化される代わりに、別個のハウジングに一体化されてもよい。一群のインバータを共通グリッドから切断するため単一インバータ装置を使用することも考えられる。この場合において、それらインバータは、単一電力発生システムに備えられてもよいし、又は、複数の電力発生システムの一部としてもよい。この場合において、単独運転防止機能は、接続リレー装置を用いて、その一群のインバータ又は電力発生システムに対して与えることができる。
【００３３】
[0035]本明細書に使用した用語「リレー」は、制御信号に応答して電気接続をなしたり切断したりすることのできる任意の装置を指しており、前述の説明で使用されているようなコイルからの磁気力により作動される機械的リレーに限定されることを意味するものではない。
【符号の説明】
【００３４】
１…光起電インバータ、２…フルブリッジ回路、３…昇圧コンバータ、４…リレー装置、５…ケーブル、６…ケーブル、１０…発生装置、１１…変換装置、１２ａ…ＡＣ端子、１２ｂ…ＡＣ端子、１２ｃ…ＡＣ端子、１３…リレー装置、１４…グリッド。
【図１】
2010213565.tif 000003
【図２】
2010213565.tif 000004
【図３】
2010213565.tif 000005
【外国語明細書】
2010213565000001.pdf